(57)【要約】      （修正有）【課題】原料からリサイクル可能であり、製造コストも低減され、軽量で作業・取扱いの利便性が図られたスノーポールを提供する。【解決手段】中空筒状体に紙管を用い、また、紙管の外表面に防水部材を披露したことを特徴とする。中空筒状体には、中空筒状体の断面外径よりやや大きい外径のチューブ状の白色半硬質ポリ塩化ビニール樹脂２を熱収縮・熱圧着により被覆した白色部と、その上から重ねて赤色封入レンズ型の赤色反射材３を貼着した赤色部によるゼブラ模様が施される。【選択図】図１
0003191031.tif 000002
【実用新案登録請求の範囲】
【請求項１】
中空筒状体に紙管を用いたスノーポール。
【請求項２】
前記紙管の外表面に防水部材を被覆した請求項１記載のスノーポール。
【考案の詳細な説明】
【技術分野】
【０００１】
本考案は、積雪時や降雪時に自動車のドライバーを適切に誘導したり、除雪作業の目印となるスノーポールに関する。
【背景技術】
【０００２】
降雪時期に道路の路側に設置し、車道と路肩との境界線である外側線や縁石等が設けられる車道左端縁の位置を標示して歩行者や自動車のドライバーを適切に誘導するための視線誘導標として、表面が白色のペイント地に赤色の反射シートまたは赤色塗料を使用したゼブラ模様のスノーポールが知られている。
このようなカラーとすることで、好天時のみでなく、猛吹雪や濃霧等の視界不良時において視認性を高めた状態で標示している。
また、除雪作業の際に車道の位置の目印・目安として除雪車のドライバーが利用することもある。きれいに除雪するために端まで除雪すると縁石等や除雪車両側も破損してしまい、逆に破損させないように控えめに走行すると徐々に積雪により道路の幅が狭くなっていってしまうという不都合を回避するためにも活用されている。
【０００３】
このような従来のスノーポールの支柱材質としては、メッキ鋼管及び特殊合成樹脂があげられる。
【０００４】
一方、関連技術として以下のようなものが提案されている。
道路標識柱を改良して、非積雪時には視線誘導標識として機能し、積雪時にはスノーポールとして機能することができ、しかも、自動車の衝突を受けても雪圧を受けても破損せず、その上、盗難のおそれを無くしたものである。その構成は、弾性材料で構成された基礎ポールを路面に植設し、上記基礎ポールよりも剛性の大きい材料で構成された延長ポールを、該基礎ポールの上方に嵌め合わせて継ぎ足し、かつ上記基礎ポールと延長ポールとの重なり部分にピン孔を貫通させて穿ち、特殊工具を用いなければ容易に抜き取れない止めピンを挿入して双方のポールの嵌合を抜け止めする（特許文献１参照）。
【先行技術文献】
【特許文献】
【０００５】
【特許文献１】特開２００５−２１３９８２号公報
【考案の概要】
【考案が解決しようとする課題】
【０００６】
しかしながら、上記の関連技術は、鋼管及び特殊合成樹脂製のスノーポールでは、昨今のリサイクルの流れに沿わないという問題を解決するものではない。また、鋼管及び特殊合成樹脂製のスノーポールでは、一定の重量があり、作業や取扱いに不便が生じる場合があった。
【０００７】
本考案の目的は、原料からリサイクル可能であり、製造コストも低減され、軽量で作業・取扱いの利便性が図られたスノーポールを提供することにある。
【課題を解決するための手段】
【０００８】
本考案のスノーポールは、中空筒状体に紙管を用いた。
このように構成することで、原料からリサイクルされる紙管を本体部分に利用することとなり、製造コストの低減、さらに軽量化も実現される。
【０００９】
また、本考案のスノーポールは、紙管の外表面に防水部材を被覆したことであってもよい。
このように、防水シート等により被覆されることで雪中でも紙管の外表面が濡れることが回避され、耐候・耐寒性に優れるスノーポールを実現できる。
【考案の効果】
【００１０】
本考案によれば、原料からリサイクル可能であり、製造コストも低減され、軽量で作業・取扱いの利便性が図られたスノーポールを提供することができる。
【図面の簡単な説明】
【００１１】
【図１】本考案の実施の形態に係るスノーポールの外観図である。
【図２】本考案の実施の形態に係るスノーポールの断面図である。
【図３】本考案の実施の形態に係る原紙をスパイラル状に巻き重ねて形成される紙管の一例を示す模式図である。
【図４】本考案の実施の形態に係るスノーポールの端部にキャップを嵌めた状態を示す図である。
【考案を実施するための形態】
【００１２】
以下、本考案の実施の形態を図面を参照しつつ説明する。
本考案の実施の形態におけるスノーポールＳは、中空筒状体１（後述するように、中空筒状体１として紙管が用いられる。）と、外表面の防水シートとしての白色半硬質ポリ塩化ビニール樹脂２と、赤色反射材３とを備えている。本実施の形態のスノーポールＳは、図１に示すように、上下方向（管の軸方向と平行方向）に延びる長尺状の中空筒状体１から主になり、中空筒状体１の高さ寸法は約３ｍであり、２ｍや１ｍのものであってもよい。通常は１〜４ｍ程度で適宜選択されてよい。
中空筒状体１には、中空筒状体１の断面外径よりやや大きい外径のチューブ状の白色半硬質ポリ塩化ビニール樹脂２を熱収縮・熱圧着により被覆した白色部と、その上から重ねて赤色封入レンズ型の赤色反射材３を貼着した赤色部によるゼブラ模様が施され、図１中では、赤色の配色部分を黒塗りで、白色の配色部分を白抜きで表した。なお、半硬質ポリ塩化ビニール樹脂の色は、赤・緑・青・黄・オレンジ・蛍光等から選択可能であってもよい。
赤色部は、長さ寸法が１５０ｍｍ〜３００ｍｍ×２〜４ヶ所である。白色部と交互に同等の長さ寸法となるように等間隔で形成されることであってよい。
【００１３】
本実施の形態のスノーポールＳの中空筒状体１の断面形状は、図２に示すように略円形である。中空筒状体１の断面外径は、好適には３８〜６０．５ｍｍ程度であり、特に３８〜４１ｍｍ程度で好適である。
中空筒状体の周壁の厚み寸法は、特に限定されないが、筒状体に必要とされる強度を保ちつつ低コスト化を図る観点から、３ｍｍ程度であることが好ましい。扁平耐圧強度は４４０Ｎ以上等である。
【００１４】
本実施の形態のスノーポールＳの中空筒状体１は、紙管（紙筒）が用いられる。
紙管は、段ボール・新聞・雑誌などの古紙を原料とした、１００％の再生紙が利用され、再生紙からスノーポール材料となり、ふたたび再生紙というエンドレスのリサイクルが可能な地球環境にも優しい製品である。また、素材が紙のため金属等に比べて製造コストが安い。また、紙管原紙と呼ばれる特殊な板紙を素材にするため適当な大きさ、形状に加工しやすく、強度も十分に有する軽く・強く・しなやかなものである。すなわち紙管は、耐候・耐寒性に優れ、衝撃にも考慮して設計可能である。また、素材が紙であり、軽量（超軽量）で設置・撤去作業が容易となる。また、非金属であり錆びることがなく、感電しなく、熱伝導性が低いため雪が付着しにくいという利点がある。
【００１５】
図３に紙管のうちのいわゆるスパイラル紙管といわれるものを示す。スパイラル紙管は、紙を芯材とする長尺の管状体であり、芯材となる複数枚の帯状紙（例えば、紙管原紙としての段ボール古紙等からなる細長い形状の紙である。）が相互に位置をずらすようにマンドレルシャフト（円柱状又は円筒状の金属等の芯棒であって外径は紙管の内径と略一致する寸法に形成されている。）に対してスパイラル状に巻回され、これらの帯状紙が相互に貼り合わされてなる。
【００１６】
中空筒状体１は、中空筒状に成形された紙製の管状体であり、紙製の筒状体としては、特に限定されず、公知のものを用いることができるが、生産性や強度面を考慮すると、スパイラル紙管を用いることが好ましい。例えば、スパイラル紙管をそのまま用いて又は所望の幅寸法で切断（切断刃としては、「切断刃」としては、ログソー（丸刃）、バンドソー（平刃）等、従来公知の切断刃を用いることができる。刃の厚さとしては、２〜１０ｍｍのものが好適に用いられる。）することにより中空筒状体１を得ることができる。なお、紙管表面はパルプからなる白上質紙等により形成されていてもよい。
【００１７】
また、紙管の形成は、酢酸ビニル樹脂エマルジョン接着剤等の水溶性接着剤を転写ローラーや塗布スポンジ等を用いて接着剤を塗工・塗布または含浸した原紙を巻き重ねることにより行われることであってもよい。
【００１８】
また、紙管の形成は、原紙として厚いものを用いると、所定の厚さの多層構造を形成する際の原紙の巻き付け回数を少なくすることができ、製造の手間やコストを低減できるし、衝撃強度、圧縮強度、引張強度、耐磨耗性及び非発塵性等に優れた紙管を形成できる。
【００１９】
また、紙管の形成は、原紙を巻き重ねる方法として、公知の原紙を平巻状に巻き重ねる方法を採用することであってもよい。当該方法は、大口径または肉厚の厚い紙管を製造する場合に適している。当該方法で用いられる原紙の幅は、製造しようとする紙管の長さと同等となり、例えば、所定幅の帯状の原紙の表面に接着剤を塗布して貼り合わせ、複数層平巻きして製造される。
【００２０】
また、紙管の形成に際して、紙管を構成する層の数は、２以上であれば特に限定されず、目的とする紙管の寸法、使用する原紙の厚さ、巻き重ねの方法等を考慮して適宜設定されてよい。
【００２１】
図４に示すように、本実施の形態のスノーポールＳには、中空筒状体１の上下端の開口部を封止するためにポリエチレン（ＰＥ）樹脂からなる円形の先端部キャップ（天地蓋）４が嵌装されることであってもよい。中空筒状体１の筒体の内面側は防水加工されていないため、防水用キャップが有益である。
【００２２】
次に、本実施の形態のスノーポールＳの使用方法の一例を説明する。
ここでは、自動車のいわゆるテストコースに複数のスノーポールＳが所定の間隔で設置されることを前提とする。
【００２３】
スノーポールＳを立設するための受けのアンカーが配置されていたり、雪中にそのままスノーポールＳを突き刺させるように中空筒状体１の下部先端にアルミ製剣先等を付して立てることであってもよい。なお、いわゆる親子バンド等によりガードレールやケーブル等の支柱に取り付けて設置することであってもよい。この際の作業・取扱いはスノーポールＳの中空筒状体１は紙管で構成されており軽量であるので従来に比して楽になる。
【００２４】
また、スノーポールＳの中空筒状体１は紙管で構成されているので、自動車の衝突を受けた場合であっても、相手自動車に損傷を与えるおそれが少ない。従来の金属製であると自動車が接触すると車体にキズが付くという不便さを解消することができる。なお、スノーポールＳは少なくとも１〜２年程度の耐久性があれば経済性の観点からは問題がない。
【００２５】
上記の本実施の形態のスノーポールＳによれば、原料からリサイクル可能であり、製造コストも低減され、軽量で作業・取扱いの利便性が図られる。
【００２６】
その他、一々例示はしないが、本考案は、その趣旨を逸脱しない範囲内において、各構成部分の材質・大きさや形状・色を含む種々の変更が加えられて実施されてよい。例えば、紙管は断面が丸形のものに限らず、いわゆる角型紙管等も適用可能である。
【符号の説明】
【００２７】
Ｓ    スノーポール
１    中空筒状体
２    白色半硬質ポリ塩化ビニール樹脂
３    赤色反射材
４    先端部キャップ
【図１】
0003191031.tif 000003
【図２】
0003191031.tif 000004
【図３】
0003191031.tif 000005
【図４】
0003191031.tif 000006